(57)【要約】【課題】ＤＳＣ無線機を用いて特定のターゲットに対する効率的な呼び出しを可能にし、且つ、ＤＳＣ無線機の負担を軽くしたＡＩＳ装置を提供する。【解決手段】識別情報を含むＡＩＳ情報を受信する受信部と、受信部が受信したＡＩＳ情報を記憶する記憶部と、受信部が受信したＡＩＳ情報に基づき、ターゲットの標識を表示する表示部と、表示部に表示された１または複数の標識から１つの標識を選択する選択操作部と、ＤＳＣ無線機を外部接続するインタフェース部と、選択操作部によって選択された標識で識別されるターゲットを呼出対象として指定する操作を受け付ける呼出指定操作部と、呼出指定操作部が操作されたとき、そのとき選択されている標識で識別されるターゲットの識別情報を前記通信機に転送する通信手段と、を備える。【選択図】図１
2011175512.tif 000002
【特許請求の範囲】
【請求項１】
ターゲットの識別情報を含むターゲット情報を受信する受信部と、
前記受信部が受信したターゲット情報を記憶する記憶部と、
前記受信部が受信したターゲット情報に基づき、前記ターゲットの標識を表示する表示部と、
前記表示部に表示された１または複数の標識から１つの標識を選択する操作を受け付ける選択操作部と、
前記識別情報を用いた選択呼出機能を備えた通信機を外部接続するインタフェース部と、
前記選択操作部によって選択された標識で識別されるターゲットを呼出対象として指定する操作を受け付ける呼出指定操作部と、
前記呼出指定操作部が操作されたとき、そのとき選択されている標識で識別されるターゲットの識別情報を前記通信機に転送する通信手段と、
を備えたターゲット識別装置。
【請求項２】
前記表示部は、前記ターゲットの標識の表示態様を、複数の異なる表示態様に切り換え可能である請求項１に記載のターゲット識別装置。
【請求項３】
前記表示部は、前記識別情報を受信した全てのターゲットの標識を表示する第１の表示態様、および、前記識別情報を受信したターゲットを前記ターゲット情報に基づいて絞り込み、該絞り込みによって抽出されたターゲットの標識のみを表示する第２の表示態様で前記ターゲットの標識を表示する請求項２に記載のターゲット識別装置。
【請求項４】
前記ターゲット情報は、前記ターゲットの現在位置情報を含み、
前記表示部は、前記ターゲットの現在位置情報に基づき、前記ターゲットの標識を自装置からの距離および方位に応じた位置に表示するプロッタ形式で表示し、
前記選択操作部は、操作に応じて、自装置からの距離が近い順または遠い順に前記標識を選択する
請求項１乃至請求項３のいずれかに記載のターゲット識別装置。
【発明の詳細な説明】
【技術分野】
【０００１】
この発明は、識別情報に基づく呼出機能を備えた通信機（たとえばＤＳＣ（Ｄｉｇｉｔａｌ  Ｓｅｌｅｃｔｉｖｅ  Ｃａｌｌｉｎｇ）無線機）と連携して、ターゲットの効率的な呼び出しを可能にしたターゲット識別装置に関する。
【背景技術】
【０００２】
船舶相互の衝突予防、船舶の動静を把握した管制の容易化のために、船舶自動識別装置（ＡＩＳ（Ａｕｔｏｍａｔｉｃ  Ｉｄｅｎｔｉｆｉｃａｔｉｏｎ  Ｓｙｓｔｅｍ）装置）が実用化されている。船舶自動識別装置は、ＶＨＦ帯の電波を用いて、自船のＡＩＳ情報（識別情報（ＭＭＳＩコード）、船名、位置、針路、速力、目的地などを含む）を送信するとともに、他船が発信するＡＩＳ情報を受信する機能を備えている。
【０００３】
また、船舶の安全通信のために、特に海外ではＤＳＣ無線機が普及している。ＤＳＣ無線機は、ＶＨＦ無線装置にデジタル通信による自動呼出機能（ＤＳＣ機能）を付加したもので、船舶の遭難、緊急、安全通信等に用いることができる。
【０００４】
ＤＳＣ無線機を用いて特定の船舶を呼び出す場合、その船舶の識別情報であるＭＭＳＩ（Ｍａｒｉｔｉｍｅ  Ｍｏｂｉｌｅ  Ｓｅｒｖｉｃｅ  Ｉｄｅｎｔｉｔｙ）コードが必要である。そこで、該特定の他船が送信し、自船のＡＩＳ装置で受信されたＡＩＳ情報中のＭＭＳＩコードを用いて、該特定の他船を選択的に呼び出すことが提案されている（たとえば特許文献１）。
【先行技術文献】
【特許文献】
【０００５】
【特許文献１】特許４２０３０３８号公報
【発明の概要】
【発明が解決しようとする課題】
【０００６】
上記特許文献１のＤＳＣ無線機は、全ての船舶のＡＩＳ情報を取り込んでソートし、ユーザによって選択されたＡＩＳ情報からＭＭＳＩコードを読み出して、呼び出しを行う装置である。一般的に無線通信機は、簡易な制御部（ＣＰＵ）を搭載しているものが多く、このようなＡＩＳ情報の解析やソートを行うことは負担が過大であるという問題点がある。また、ＡＩＳ装置から見て下流装置であるＤＳＣ無線機に全てのＡＩＳ情報を転送して、ＤＳＣ無線機でソートや特定船舶（ターゲット）の指定を受け付けることは非効率的であった。
【０００７】
この発明は、ＤＳＣ無線機等の呼出機能を備えた通信機に対して、ユーザが選択したターゲット（船舶）の識別情報のみを呼び出し対象の識別情報として転送することで、特定のターゲットに対する効率的な呼び出しを可能にし、且つ、通信機の負担を軽くしたターゲット識別装置を提供することを目的とする。
【課題を解決するための手段】
【０００８】
請求項１の発明は、ターゲットの識別情報を含むターゲット情報を受信する受信部と、前記受信部が受信したターゲット情報を記憶する記憶部と、前記受信部が受信したターゲット情報に基づき、前記ターゲットの標識を表示する表示部と、前記表示部に表示された１または複数の標識から１つの標識を選択する操作を受け付ける選択操作部と、前記識別情報を用いた選択呼出機能を備えた通信機を外部接続するインタフェース部と、前記選択操作部によって選択された標識で識別されるターゲットを呼出対象として指定する操作を受け付ける呼出指定操作部と、前記呼出指定操作部が操作されたとき、そのとき選択されている標識で識別されるターゲットの識別情報を前記通信機に転送する通信手段と、を備えたことを特徴とする。
【０００９】
本発明は、さらに、前記表示部が、前記ターゲットの標識の表示態様を、複数の異なる表示態様に切り換え可能であることを特徴とする。
【００１０】
本発明は、上記発明において、前記表示部が、前記識別情報を受信した全てのターゲットの標識を表示する第１の表示態様、および、前記識別情報を受信したターゲットを前記ターゲット情報に基づいて絞り込み、該絞り込みによって抽出されたターゲットの標識のみを表示する第２の表示態様で前記ターゲットの標識を表示可能であることを特徴とする。
【００１１】
さらに本発明は、上記発明において、前記ターゲット情報は、前記ターゲットの現在位置情報を含み、前記表示部は、前記ターゲットの現在位置情報に基づき、前記ターゲットの標識を自装置からの距離および方位に応じた位置に表示するプロッタ形式で表示し、前記選択操作部は、操作に応じて、自装置からの距離が近い順または遠い順に前記標識を選択することを特徴とする。
【発明の効果】
【００１２】
この発明によれば、ターゲット情報を受信したターゲットの標識を表示部に表示し、選択操作部で操作を受け付けるようにしたことで、ユーザが容易に特定のターゲットを選択することができる。選択されたターゲットの識別情報を、識別情報を用いた選択呼出機能を備えた通信機に転送することで、通信機に負担を掛けることなく、特定のターゲットの選択呼び出しが可能になる。
【図面の簡単な説明】
【００１３】
【図１】この発明の実施形態である船舶自動識別装置の正面パネルの外観図である。
【図２】同船舶自動識別装置の内部構造のブロック図である。
【図３】同船舶自動識別装置のディスプレイに表示される画面の遷移を示す図である。
【図４】同船舶自動識別装置のＤＳＣキーがオンされたときの動作を示すフローチャートである。
【発明を実施するための形態】
【００１４】
図面を参照してこの発明の実施形態である船舶自動識別装置（ＡＩＳ装置）について説明する。図１は船舶自動識別装置の外観図、図２は船舶自動識別装置のブロック図である。図１、図２に示すように、船舶自動識別装置１は、ＤＳＣ無線機２と接続されて他船呼出システムを構成している。
【００１５】
船舶自動識別装置１は、ＶＨＦ帯の電波を用いて、自船のＡＩＳ情報を送信するとともに、他船のＡＩＳ情報を受信する。ＡＩＳ情報は、船名、ＭＭＳＩコード、現在位置、進路、速度、仕向地、積載物等のデータからなる情報である。
【００１６】
船舶自動識別装置１は、ディスプレイ３０を備え、受信した他船のＡＩＳ情報をディスプレイ３０に表示する。その表示態様は図３を参照して後述する。ユーザは、ディスプレイ３０に表示されている他船のターゲットアイコンや表示欄を選択して、ＤＳＣキー３５をオンすることにより、ＤＳＣ無線機２に対して、その他船を呼び出すよう操作することができる。
【００１７】
図１において、船舶自動識別装置１の正面パネルには、ディスプレイ３０および複数のキースイッチ群３１〜３６が設けられている。ディスプレイ３０は略正方形の液晶ディスプレイであり、正面パネルの中央より左にかけて設けられている。ディスプレイ３０には、上述したように、付近を航行する他船の情報が種々の表示形態で表示される。正面パネル右側の上部には、確定（ＥＮＴ）キー３１（以下ＥＮＴキー３１と呼ぶ）が設けられ、その上下に上下キー３２、その左右に左右キー３３が設けられている。また、正面パネル右側の中央部には、表示モード（ＤＩＳＰ  ＭＯＤＥ）キー３４、クリア（ＣＬＥＡＲ）キー３６を含むキースイッチ群が設けられ、その下にはＤＳＣキー３５を含むキースイッチ群が設けられている。上下キー３２、左右キー３３は、主としてディスプレイ３０に表示されている項目を選択する場合に用いられ、ＥＮＴキー３１は、主として選択内容を決定する操作に用いられる。表示モードキー３４は、図３（Ａ）〜（Ｃ）に示す他船のＡＩＳ情報の表示態様を切り換える場合に用いられる。ＤＳＣキー３５は、選択された他船に対する呼出をＤＳＣ無線機２に指示する場合に操作されるキーである。また、クリアキー３６は、そのときの動作や表示を終了して元の状態に戻すときに操作されるキーである。
【００１８】
図２において、船舶自動識別装置１は、ＣＰＵ１０、記憶部１１、表示部１２、キー入力部１３、外部機器インタフェース部１４、ＧＭＳＫ変調復調部１５、受信部１６、受信チャンネル制御部１７、送信チャンネル制御部１８、送信部１９、送受信切換部２０およびＧＰＳ測位部２１を備えている。送受信切換部１６にはアンテナ２５が接続されている。また、外部機器インタフェース１４には上述したようにＤＳＣ無線機２が接続されている。
【００１９】
ＣＰＵ１０は船舶自動識別装置１全体の動作を制御する。記憶部１１は、自船のＡＩＳ情報を記憶するとともに、受信した他船のＡＩＳ情報を記憶する。また、記憶部１１には、後述（図４参照）の通話チャンネルテーブルも記憶される。表示部１２はディスプレイ３０を含み、ＣＰＵ１０から入力された情報をディスプレイ３０上に表示する。キー入力部１３はキースイッチ群３１〜３６を含み、ユーザによるキー操作を検出してＣＰＵ１０に入力する。外部機器インタフェース部１４は、ＤＳＣ無線機２とＣＰＵ１０との通信を中継する。ＧＰＳ測位部２１は、ＧＰＳアンテナで受信したＧＰＳ衛星の電波に基づき自船の位置を測位する。測位された自船の位置情報は自船のＡＩＳ情報の一部として送信される。
【００２０】
ＧＭＳＫ変調復調部１５は、連続位相周波数偏移変調方式の一種であるＧＭＳＫ（ガウス最小偏移変調：Ｇａｕｓｓｉａｎ  ｍｉｎｉｍｕｍ  ｓｈｉｆｔ  ｋｅｙｉｎｇ）により自船のＡＩＳ情報を変調するとともに、受信部１６から入力された（ＧＭＳＫ変調された）他船のＡＩＳ情報を復調してＣＰＵ１０に入力する。受信部１６は受信した信号をＧＭＳＫ変調復調部１５に入力する。受信チャンネル制御部１７は、受信部１６の受信チャンネルを順次切り換える。これにより、受信部１６は各チャンネルに送信されている他船のＡＩＳ情報を受信することができる。受信部１６および受信チャンネル制御部１７は、２系統並列に設けられており、並行してＡＩＳチャンネルを巡回して他船のＡＩＳ情報を受信する。なお、ＡＩＳチャンネルは、１６０ＭＨｚ付近のＶＨＦ帯に２５ＫＨｚ間隔で複数設定されている。
【００２１】
送信チャンネル制御部１８は、自船のＡＩＳ情報を送信する送信チャンネルを設定する。送信チャンネルは、受信部１６の受信内容から空きチャンネルを探し、その空きチャンネルを送信チャンネルとすればよい。送信部１９は、ＧＭＳＫ変調された自船のＡＩＳ情報を送信チャンネル制御部１８によって設定されたチャンネルの周波数帯域に周波数シフトして送信する。送受信切換部２０は、送信時には送信部１９側にアンテナ２５を切り換え、受信時には受信部１６側にアンテナ２５を切り換える。
【００２２】
上記構成の船舶自動識別装置は、自船のＡＩＳ情報を送信、および、他船のＡＩＳ情報を受信する。受信した他船のＡＩＳ情報は、記憶部１１に記憶されるとともに、ディスプレイ３０に表示される。その表示態様は、たとえば、図３（Ａ）〜（Ｄ）に示すような態様である。他船のＡＩＳ情報が表示されている状態で、ユーザが、上下キー３２を用いていずれか１つのターゲットの標識（他船のアイコンまたは他船のＡＩＳ情報表示欄）を選択し、ＤＳＣキー３５をオンすることにより、ＣＰＵ１０は、そのターゲットのＭＭＳＩコードおよび通話チャンネルを含むコマンドを作成し、ＤＳＣ無線機２に対して送信する。このコマンドにより、ＤＳＣ無線機２は、そのターゲット（他船：相手局）に対して呼出メッセージを送信する。ＤＳＣ無線機２は、相手局と通信が成立すると、指定された通話チャンネルにチャンネルを移行してユーザの通話を可能にする。
【００２３】
図３はディスプレイ３０の表示例を示す図である。図３（Ａ）〜（Ｄ）は、受信されたＡＩＳ情報の種々の表示態様を示す図である。また、図３（Ｅ）〜（Ｇ）は、ＤＳＣキー３５が押された場合の表示態様の例を示す図である。
【００２４】
図３（Ａ）はプロッタ形式の表示例を示している。図３（Ｂ）は一覧リスト形式の表示例を示している。図３（Ｃ）は接近船舶リスト（デンジャーリスト）形式の表示例を示している。また、図３（Ｄ）は１つのターゲット（他船）のＡＩＳ情報の詳細表示画面の例を示している。これらの表示態様は表示モードキー３４の操作によって順次切り換えられる。
【００２５】
装置の電源がオンされると、デフォルトで図３（Ａ）のプロッタ形式の画面が表示される。円の中心に表示されている▲の図形が自船を示すアイコンであり、円内に表示されている△図形が他船を示すターゲットアイコンである。この表示態様においては、ユーザが上下キー３２を操作することにより、表示レンジを０．１２５海里〜２４海里の範囲で切り換えることができる。また、ユーザが左右キー３３を操作することにより、ターゲットアイコンを近い順または遠い順に順番に選択することができる。具体的には、ユーザが、右キー３３Ｒを操作すると近い順にターゲットアイコンが選択され、左キー３３Ｌを操作すると遠い順にターゲットアイコンが選択される。画面の中央左上に表示されている□形状の図形が現在選択されているターゲットアイコンを囲む図形であるターゲットボックス５１である。ユーザの操作によってターゲットアイコンの選択が切り換えられると、このターゲットボックス５１の表示位置も切り換えられる。
【００２６】
いずれかのターゲットアイコンが選択されている状態で、ＥＮＴキー３１がオンされると、表示態様は、そのターゲットアイコンで識別される他船のＡＩＳ情報の詳細表示画面（図３（Ｄ））に移行する。
【００２７】
また、いずれかのターゲットアイコンが選択されている状態で、ＤＳＣキー３５がオンされると、そのターゲットアイコンで識別される他船へＤＳＣ無線機２を用いて呼び出しを掛ける処理に移行し、ディスプレイ３０の表示態様は、図３（Ｅ）に移行する。
【００２８】
なお、表示モードキー３４により表示態様が切り換えられたとき、および、上下キー３２の操作により表示レンジが切り換えられたとき、ターゲットアイコンの選択が解除されどのターゲットアイコンも選択されていない状態になる。
【００２９】
図３（Ｂ）は一覧リスト（ＴＡＲＧＥＴ  ＬＩＳＴ）形式の表示画面の例を示す図である。この画面では、現在ＡＩＳ情報を受信している他船（ターゲット）の情報がリスト表示される。このリストには、ＡＩＳ情報のうち、ターゲットのＭＭＳＩコードまたは船名、距離（ＲＮＧ）、進行方向に対する方位（ＢＲＧ）距離が表示される。ＡＩＳ情報は近いターゲットのものから順に１行ずつ表示される。この１行ずつの表示エリアが、本発明のターゲットの標識となる。この一覧リストが表示されている状態で、ユーザが上下キー３２を操作すると、ターゲット（ＡＩＳ情報が表示されている行）が上下に順次選択される。
【００３０】
図３（Ｃ）は接近船舶リスト（ＤＮＧＥＲ  ＬＩＳＴ）形式の表示画面の例を示す図である。接近船舶リストは、ＡＩＳ情報を受信している他船（ターゲット）のうち、一定以内に接近する可能性のある船舶（デンジャラスターゲット）のみを抽出したリストである。たとえば、１時間以内（ＴＣＰＡ≦１ｈ）に６海里以内（ＣＰＡ≦６ｎｍ）をデンジャラスターゲットとして抽出・表示する。このリストには、ＡＩＳ情報のうち、ターゲットのＭＭＳＩコードまたは船名、ＣＰＡ、ＴＣＰＡが、１船舶につき１行ずつ表示される。この１行ずつの表示エリアが、本発明のターゲットの標識となる。
【００３１】
同図では、ＣＰＡが小さい順にＡＩＳ情報（行）がソートされているが、ユーザが右キー３３Ｒを操作することにより、ＴＣＰＡが小さい順にソートしなおすことができる。また、ユーザが左キー３３Ｌを操作することにより、再度ＣＰＡが小さい順にソートしなおすこともできる。この接近船舶リストが表示されている状態で、ユーザが上下キー３２を操作すると、ターゲット（ＡＩＳ情報が表示されている行）が上下に順次選択される。
【００３２】
図３（Ｂ）、（Ｃ）の表示態様において、いずれかのターゲットが選択されている状態で、ＥＮＴキー３１がオンされると、表示態様は、そのターゲットアイコンで識別される他船のＡＩＳ情報の詳細表示画面（図３（Ｄ））に移行する。また、いずれかのターゲットが選択されている状態で、ＤＳＣキー３５がオンされると、そのターゲットで識別される他船へＤＳＣ無線機２を用いて呼び出しを掛ける処理に移行し、ディスプレイ３０の表示態様は、図３（Ｅ）に移行する。
【００３３】
なお、表示モードキー３４により表示態様が切り換えられたときには、ターゲットアイコンの選択が解除され、どのターゲットも選択されていない状態になる。
【００３４】
図３（Ｄ）は詳細（ＤＥＴＡＩＬ）表示画面の例を示す図である。詳細表示画面は、複数ページ（たとえば６ページ）からなり、この複数ページでＡＩＳ情報が全て表示される。詳細表示画面が表示されている状態で、ユーザが左右キー３３を操作することにより、ディスプレイ３０に表示させるページを切り換えることができる。
【００３５】
また、詳細表示画面が表示されている状態で、ＤＳＣキー３５がオンされると、現在詳細表示している他船へＤＳＣ無線機２を用いて呼び出しを掛ける処理に移行し、ディスプレイ３０の表示態様は、図３（Ｅ）に移行する。
【００３６】
なお、詳細画面が表示されている状態で、ユーザがクリアキー３６を操作すると、詳細画面表示を終了して直前の表示態様（図３（Ａ）〜（Ｃ））にもどる。
【００３７】
図３（Ｅ）〜図３（Ｇ）の表示内容については、図４のフローチャートとともに説明する。
【００３８】
図４（Ａ）は、ユーザによるＤＳＣキー３５のオンに伴う呼出指示動作を示すフローチャートである。この処理では、常にＤＳＣキー３５がオンされるのを監視している（Ｓ１）。ＤＳＣキー３５がオンされると（Ｓ１でＹＥＳ）、現在ディスプレイ３０上のターゲットがいずれか１つ選択されているかを判断する（Ｓ２）。ターゲットが選択されていれば（Ｓ２でＹＥＳ）、Ｓ４に進む。ターゲットが選択されていなければ（Ｓ２でＮＯ）、ターゲットが選択されていない旨の表示を一定時間表示したのち（Ｓ３）、ディスプレイ３０の表示を元の画面（図３（Ａ）〜（Ｄ））に復帰させてＳ１にもどる。
【００３９】
Ｓ４では、ディスプレイ３０に図３（Ｅ）のチャンネル選択画面を表示する。図３（Ｅ）のチャンネル選択画面には、通話チャンネルの候補が表示されている。ユーザは、このチャンネル選択画面に表示されているチャンネル番号を確認し、通話チャンネルがそのチャンネルでよければ再度ＤＳＣキー３５をオンする。
【００４０】
なお、ＤＳＣ無線機２は、通常チャンネル１６（１５６．８ＭＨｚ）で相手局（ターゲット）を呼び出し、通信が成立すると自動的に通話チャンネルへ移動する。
【００４１】
もしユーザが通話チャンネルを変更する場合には、上下キー３２を操作する。記憶部１１には図４（Ｂ）に示すような通話チャンネルテーブルが記憶されている。通話チャンネルテーブルは、所望の順序で通話チャンネル番号が書き込まれたものであり、予めユーザにより設定される。図３（Ｅ）の画面表示において、上下キー３２が操作されるごとに、ＣＰＵ１０は、通話チャンネルをこのテーブルの記載順に上下させる。
【００４２】
上下キー３２の操作によって通話チャンネルが切り換えられると（Ｓ６でＹＥＳ）、ＤＳＣ無線機２に送信するコマンド（チャンネル番号）を変更するとともに、図３（Ｅ）のチャンネル選択画面の表示も変更して（Ｓ７）、Ｓ４にもどる。
【００４３】
Ｓ５で再度ＤＳＣキー３５がオンされると、ターゲットとして選択された船舶のＭＭＳＩコード、そのとき設定されている通話チャンネル番号を含む呼出コマンドを外部接続インタフェース１４を介してＤＳＣ無線機２に送信し（Ｓ８）、ディスプレイ３０に呼出中を示す画面（図３（Ｆ））を表示する（Ｓ９）。
【００４４】
呼出コマンドの送信により、ＤＳＣ無線機は、ＭＭＳＩコードで識別される相手局に対して呼出メッセージを送信する。ＤＳＣ２が相手局からの応答を受信し通信が成立すると、ＤＳＣ無線機２から通信が成立した旨のメッセージが送られてくる（Ｓ１０でＹＥＳ）。そうすると、ディスプレイ３０に通信が成立した旨を示す画面（図３（Ｇ））に切り換える。こののち、クリアキー３６がオンされると（Ｓ１２でＹＥＳ）、ディスプレイ３０の表示を元の態様（図３（Ａ）〜（Ｄ））に戻して（Ｓ１３）、Ｓ１にもどる。
【００４５】
なお、図３（Ｅ）、（Ｆ）の表示にクリアキー３６がオンされた場合には、ＤＳＣ無線機２による呼出を中止し、ディスプレイ３０の表示を元の態様（図３（Ａ）〜（Ｄ））に戻してＳ１にもどる。
【００４６】
以上の実施形態では、船舶をターゲットとするターゲット識別装置である船舶自動識別装置について説明したが、ターゲットは船舶に限定されない。また、ターゲット情報を取得するシステムは、ＡＩＳに限定されない。
【符号の説明】
【００４７】
１  船舶自動識別装置
２  ＤＳＣ無線機
３０  ディスプレイ
３１  ＥＮＴキー
３２  上下キー
３３  左右キー
３４  表示モードキー
３５  ＤＳＣキー
５１  ターゲットボックス
【図１】
2011175512.tif 000003
【図２】
2011175512.tif 000004
【図３】
2011175512.tif 000005
【図４】
2011175512.tif 000006